(57)【要約】【課題】ハンドルレバーの角度を簡単に調整できるようにしたスィング式扉の錠装置を提供する。【解決手段】スィング式扉の回動枢支側とは反対側の端面側に内蔵され建物の出入り口の縦枠に形成されたラッチ係止孔に対しラッチ１０をハンドルレバー２の回転により回転する回転ブロック６により係脱動作させるようにした錠装置であって、角度調整軸２３と、この角度調整軸２３に前端折り曲げ片１９が繋がり角度調整軸２３の正逆回転により前後に移動する角度調整板２２と、この角度調整板２２を前方に付勢するコイルばね２１とを備え、角度調整板２３の後端折り曲げ片１８を回転ブロック６の上端の突出片１７に当接させ、前記回転ブロック６はハンドルレバー２を上向きに回転するように付勢するばねにより上端の突出片１７が角度調整板２３の後端折り曲げ片１８に当接する方向に付勢されている。【選択図】    図４
2005139686.tif 000002
【特許請求の範囲】
【請求項１】
スィング式扉の回動枢支側とは反対側の端面側に内蔵され建物の出入り口の縦枠に形成されたラッチ係止孔に対しラッチをハンドルレバーの回転により回転する回転ブロックにより係脱動作させるようにした錠装置であって、角度調整軸と、この角度調整軸に前端部が繋がり角度調整軸の正逆回転により前後に移動する角度調整板と、この角度調整板を前方に付勢するばねとを備え、角度調整板の後端部を回転ブロックの上端の突出片に当接させ、前記回転ブロックはハンドルレバーを上向きに回転するように付勢するばねにより上端の突出片が角度調整板の後端部に当接する方向に付勢されていることを特徴とするスィング式扉の錠装置。
【発明の詳細な説明】
【技術分野】
【０００１】
本発明は、スィング式扉の錠装置に関するものである。
【背景技術】
【０００２】
従来からスィング式扉において、出入口の内側および外側から扉を開閉するために扉の両面に回動式のハンドルレバーが設けられる。
その一例として、例えば特許文献１に開示されているように、扉の両面に位置するハンドルレバーはケース内に設けられたばねによりほぼ水平に持ち上げられた状態を保持し、扉の開くときにハンドルレバーを前記ばねの力に抗して下向きに回動させてラッチを扉枠の受け座から出退させるように構成されたものが知られている。
【特許文献１】実用新案登録第２６０５００８号公報
【発明の開示】
【発明が解決しようとする課題】
【０００３】
前記従来の特許文献１に開示されている錠装置の構成では、前記ケース内に設けられたばねはハンドルレバーの重量を支える力を備えているものの、長期の使用においてハンドルレバーを多数回にわたり回動させるとばね力が劣化し、特に重いハンドルレバーを使用するとばねがハンドルレバーをほぼ水平に支えるだけの力がなくなり、ハンドルレバーが垂れ気味になるという問題があった。
【０００４】
本発明の目的は、このような課題を達成するものであり、ハンドルレバーの重量を支えるばね力が劣化してハンドルレバーが垂れ気味になった場合やハンドルレバーの取り付け時にハンドルレバーが所定の角度よりもずれた角度になっている場合にハンドルレバーの角度を簡単に調整できるようにしたスィング式扉の錠装置を提供することにある。
【課題を解決するための手段】
【０００５】
本発明の請求項１に記載のスィング式扉の錠装置は、スィング式扉の回動枢支側とは反対側の端面側に内蔵され建物の出入り口の縦枠に形成されたラッチ係止孔に対しラッチをハンドルレバーの回転により回転する回転ブロックにより係脱動作させるようにした錠装置であって、角度調整軸と、この角度調整軸に前端部が繋がり角度調整軸の正逆回転により前後に移動する角度調整板と、この角度調整板を前方に付勢するばねとを備え、角度調整板の後端部を回転ブロックの上端の突出片に当接させ、前記回転ブロックはハンドルレバーを上向きに回転するように付勢するばねにより上端の突出片が角度調整板の後端部に当接する方向に付勢されていることを特徴とするものである。
【発明の効果】
【０００６】
以上のように本発明は、スィング式扉の両面に位置する２つのハンドルレバーの重量をコイルばねで支える構成の錠装置において、ハンドルレバーが垂れ気味になっている場合は角度調整軸を回して角度調整板をケースの前面板側に移動させるとハンドルレバーに角軸で繋がる回転ブロックは角度調整板の移動方向に回転し、ハンドルレバーを所定の角度に簡単に調整することができる。また、ハンドルレバーが所定の角度よりも上向きとなっている場合は角度調整軸を回して角度調整板をケースの後面板側に移動させると回転ブロックは角度調整板に押されて角度調整板の移動方向に回転し、ハンドルレバーを所定の角度に簡単に調整することができる。
【発明を実施するための最良の形態】
【０００７】
以下、本発明の一実施の形態を、図１〜図６を用いて具体的に説明する。
図において、１は後述するスィング式扉の回動枢支側とは反対側の端面側に内蔵される錠装置のケースで、このケース１の内部には上端部においてハンドルレバー２の角軸３に係合する角孔４を中心に備えハンドルレバー２が上向きに回転するようにコイルばね５によって付勢されたハンドルレバー用の回転ブロック６と、この回転ブロック６の下方に位置し軸受け板７に水平に取り付けられたシャフト８と、軸受け板７の前端折り曲げ片７ａから突出するシャフト８の前端部に取り付けられケース１の前面板１ａの開口部１ａ’および前面板１ａの表面に重なる化粧板９の開口部９ａから出没自在なラッチ１０と、前記軸受け板７の後端折り曲げ片７ｂとケース１の後面板１ｂとの間に介在され軸受け板７を介してシャフト８前端のラッチ１０を化粧板９の開口部９ａから突出する方向に付勢するコイルばね１１と、前記回転ブロック６と軸受け板７との間に位置し回転ブロック６の角孔４の下側に突設された係合凸部１２に上側の係合凹部１３が係合するとともに下側に突設された突出片１４が前記軸受け板７の後端折り曲げ片７ｂの内面に当接し前記係合凸部１２が係合凹部１３に当接する方向にコイルばね１５により付勢され回転ブロック６の回転により回転ブロック６の回転方向と逆方向に回転する中継カム１６と、前記回転ブロック６の上端の突出片１７に後端折り曲げ片１８の外面が当接し前端折り曲げ片１９とケース１の切り起こし片２０との間に介在されたコイルばね２１により前方に付勢されたハンドルレバー２の角度調整板２２と、前記化粧板９の孔部９ｂ内に頭部２３ａが露出し前面板１ａの孔部１ａ”より前面板１ａの内面に装着した軸受け板２４の孔部２４ａを貫通して角度調整板２２の前端折り曲げ片１９の雌ねじ孔１９ａに軸部２３ｂが螺合するハンドルレバー２の角度調整軸２３とから構成されている。
【０００８】
前記ハンドルレバー２はスィング式扉２５の両面に設けられ、扉２５に内蔵された上記構成の錠装置と組み合わされる。詳しくは、前記錠装置の回転ブロック６の角孔４に角軸３が挿通され、扉２５の両面から突出する角軸３の両端に扉２５の両面でハンドルレバー２の角孔２ａを外嵌させ、錠装置とハンドルレバー２が組み合わされる。２６はハンドルレバー２の基部２ｂとともに扉２５に形成された角軸３挿通用の孔部（図示せず）を覆う化粧カバーである。
【０００９】
このように扉２５の両面で角軸３に取り付けたハンドルレバー２の操作により前記コイルばね５の付勢力に抗して回転ブロック６が回転動作し、それにより中継カム１６を介して軸受け板７をコイルばね１１のばね力に抗して移動させる結果、ラッチ１０が扉２５の回動枢支側とは反対側の端面に位置するように設けられた化粧板９の開口部９ａに没入して建物の出入り口の縦枠に形成されたラッチ係止孔から外れ、扉２５を開閉できるようになる。
【００１０】
ところで、ハンドルレバー２の重量を支えるばね力が劣化してハンドルレバー２が垂れ気味になった場合やハンドルレバー２の取り付け時にハンドルレバー２が所定の角度よりもずれた角度になっている場合のハンドルレバー２の角度調整について説明すると、ハンドルレバー２が垂れ気味になっている場合は前記角度調整軸２３の頭部２３ａにドライバーなどの治具を係合させて角度調整軸２３を反時計方向に回すことにより角度調整板２２を前面板１ａ側（図４の矢印Ａ方向）に移動させると回転ブロック６は角度調整板２２の後端折り曲げ片１８に上端の突出片１７が当接した状態で角度調整板２２の移動方向に回転し、ハンドルレバー２を所定の角度に調整することができる。また、ハンドルレバー２が所定の角度よりも上向きとなっている場合は前記角度調整軸２３の頭部２３ａにドライバーなどの治具を係合させて角度調整軸２３を時計方向に回すことにより角度調整板２２を後面板１ｂ側（図５の矢印Ｂ方向）に移動させると回転ブロック６は角度調整板２２に押されて角度調整板２２の移動方向に回転し、ハンドルレバー２を所定の角度に調整することができる。
【００１１】
なお、上記実施の形態ではハンドルレバー２をコイルばね５によって上向きに付勢しているが、ばねを内蔵した座金にハンドルレバー２を結合させたものを用いる場合は、前記コイルばね５は無くても良い。
【図面の簡単な説明】
【００１２】
【図１】本発明の一実施の形態におけるスィング式扉の錠装置の斜視図である。
【図２】同錠装置の縦断面図である。
【図３】同錠装置の正面図である。
【図４】同錠装置によりハンドルレバーを上向きに調整した状態を示す縦断面図である。
【図５】同錠装置によりハンドルレバーを下向きに調整した状態を示す縦断面図である。
【図６】同ハンドルレバー取り付け部の斜視図である。
【符号の説明】
【００１３】
１        ケース
１ａ      前面板
１ａ’    開口部
１ａ”    孔部
２        ハンドルレバー
２ａ      角孔
３        角軸
４        角孔
５        コイルばね
６        回転ブロック
７        軸受け板
７ａ      前端折り曲げ片
７ｂ      後端折り曲げ片
８        シャフト
９        化粧板
９ａ      開口部
９ｂ      孔部
１０        ラッチ
１１        コイルばね
１２        係合凸部
１３        係合凹部
１４        突出片
１５        コイルばね
１６        中継カム
１７        突出片
１８        後端折り曲げ片
１９        前端折り曲げ片
１９ａ      雌ねじ孔
２０        切り起こし片
２１        コイルばね
２２        角度調整板
２３        角度調整軸
２３ａ      頭部
２３ｂ      軸部
２４        軸受け板
２４ａ      孔部
２５        扉
【図１】
2005139686.tif 000003
【図２】
2005139686.tif 000004
【図３】
2005139686.tif 000005
【図４】
2005139686.tif 000006
【図５】
2005139686.tif 000007
【図６】
2005139686.tif 000008